(57)【要約】【課題】インデックス原稿と本文原稿が混在する原稿束の原稿の読取り操作を簡便にして、原稿の読み取りが迅速にできる画像形成装置を提供すること。【解決手段】インデックス原稿が本文原稿の最上部に重ねられた第１の原稿束を読み取る第１の読取モードを有し、前記第１の読取モードを実行する時は、制御手段は、画像読取手段を作動させ前記第１の原稿束から原稿の画像データを読み取らせると共に、原稿ページ数記憶手段とインデックス原稿ページ番号記憶手段とを作動させ、前記原稿ページ数記憶手段には前記第１の原稿束から搬送された前記原稿のページ数を記憶させると共に、前記インデックス原稿ページ番号記憶手段には、前記第１の原稿束から最初に搬送された前記原稿のページ数を記憶させるようにしたこと。【選択図】        図１
2005005750.tif 000002
【特許請求の範囲】
【請求項１】
インデックス原稿と本文原稿とが混在した原稿束から１ページ毎に原稿を搬送させる原稿搬送手段と、前記原稿の画像データを読み取る画像読取手段と、読み取られた前記画像データを記憶する画像データ記憶手段と、読み取られた前記原稿のページ数を計数して記憶する原稿ページ数記憶手段と、前記インデックス原稿のページ番号を記憶するインデックス原稿ページ番号記憶手段と、インデックス用の出力媒体及び通常の出力媒体を収納し、画像形成動作に応答して、それぞれの前記出力媒体を給排紙搬送する給排紙手段と、画像形成を行う時に、前記原稿ページ数記憶手段に記憶された前記ページ数と前記インデックス原稿ページ番号記憶手段に記憶された前記ページ番号とが一致した場合は、前記インデックス用紙に画像を形成する作動を行なわせ、それ以外の場合は、通常の出力媒体に画像を形成する作動を行なわせる制御手段と、を備えた画像形成装置において、
前記インデックス原稿が前記本文原稿の最上部に重ねられた第１の原稿束を読み取る第１の読取モードを有し、前記第１の読取モードを実行する時は、前記制御手段は、前記画像読取手段を作動させ前記第１の原稿束から原稿の画像データを読み取らせると共に、前記原稿ページ数記憶手段と前記インデックス原稿ページ番号記憶手段とを作動させ、前記原稿ページ数記憶手段には前記第１の原稿束から搬送された前記原稿のページ数を記憶させると共に、前記インデックス原稿ページ番号記憶手段には、前記第１の原稿束から最初に搬送された前記原稿のページ数を記憶させるようにしたことを特徴とする画像形成装置。
【請求項２】
前記インデックス原稿が前記本文原稿の最下部に重ねられた第２の原稿束を読み取る第２の読取モードと、全ての原稿を本文原稿として取り扱う作動を行うインデックス原稿除外手段を備え、
前記第２の読取モードを実行する時は、前記制御手段は、インデックス原稿除外手段の作動に応答して、前記画像読取手段を作動させ、初回は前記第２の原稿束からインデックス原稿を取り除いた原稿束の原稿を読み取らせると共に、前記原稿ページ数記憶手段を作動させ、次回以降は、取り除いたインデックス原稿を前記本文原稿の最上部に重ねた原稿束の原稿を読み取るように、前記第１の読取モードで、前記画像読取手段を作動させると共に、前記原稿ページ記憶手段とインデックス原稿ページ番号記憶手段とを作動させるようにしたことを特徴とする請求項１に記載の画像形成装置。
【請求項３】
前記第１の原稿束の原稿枚数が前記搬送手段に載置可能な規定枚数を超過するときは、前記第１の原稿束の原稿が規定枚数以内になるように前記第１の原稿束を複数に分割して形成した分割原稿束を前記原稿搬送手段により搬送し、前記第１の読取モードを実行する時は、前記制御手段は、初回の前記分割原稿束については、画像読取手段を作動させると共に、前記原稿ページ記憶手段とインデックス原稿ページ番号記憶手段を作動させ、次回以降の分割原稿束については、前記インデックス原稿除外手段の作動に応答して、画像読取手段を作動させると共に、前記原稿ページ記憶手段を作動させるようにしたことを特徴とする請求項１又は請求項２に記載の画像形成装置。
【請求項４】
前記第２の原稿束の原稿枚数が前記搬送手段に載置可能な規定枚数を超過するときは、前記第２の原稿束の原稿が規定枚数以内になるように、前記第２の原稿束からインデックス原稿を取り除いた原稿束を複数に分割して形成した分割原稿束を前記原稿搬送手段により搬送し、前記制御手段は、前記インデックス原稿除外手段の作動に応答して、前記原稿ページ数記憶手段を作動させ、画像読取手段を作動させる操作を繰り返して、複数に分割した分割原稿束の全てを読み取らせるようにしたことを特徴とする請求項１乃至請求項３に記載の画像形成装置。
【請求項５】
前記制御手段は、前記画像読取手段により前記原稿束の前記インデックス原稿を読み取らせる場合は、前記インデックス原稿の片面の画像データのみを読み取るように制御することを特徴とする請求項１乃至請求項４に記載の画像形成装置。
【請求項６】
確認のために読み取った原稿の画像をコピーする確認コピーモードを備え、前記制御手段は、全ての前記原稿束を読み取った後に、自動的に、確認コピーモードを実行するようにしたことを特徴とする請求項１乃至請求項５に記載の画像形成装置。
【発明の詳細な説明】
【０００１】
【発明の属する技術分野】
本発明は、インデックス紙原稿と本文原稿が混在する原稿の画像形成を行うことができる複写機等の画像形成装置に関する。
【０００２】
【従来の技術】
従来、インデックス原稿と本文原稿とが混在する原稿束の原稿を画像形成する場合、インデックス原稿と本文原稿とを読み取る方式に２つの方式があった。
【０００３】
一つは、最初にインデックス原稿と本文原稿のどちらを先に自動原稿送り装置（ＡＤＦ）に載せるかを設定し、インデックス原稿を先に載せるように設定したときは、インデックス原稿を読込んだ後に、本文原稿を載せて本文原稿を読み込ませ、逆に、本文原稿を先に載せるように設定したときは、本文原稿を読込んだ後に、インデックス原稿を載せてインデックス原稿を読み込ませるようにして、原稿を載せてはスタートキーを押す動作を繰り返すことにより、インデックス原稿と本文原稿とが混在した原稿束の原稿を読み込ませるようにした交互方式がある。
【０００４】
もう一つは、スタートキーとは別にインデックス原稿読取りキーを設け、使用者がインデックス原稿読取りキーを押し下げた場合は、インデックス原稿の読取りを行い、押し下げていない場合は、本文原稿の読み取りを行うことができるようにして、前述の交互方式のように、先にどちらの原稿を載せるかを設定しないで、ＡＤＦに載せた原稿がインデックス原稿の場合はインデックス原稿読取りキーを押し下げ、本文原稿を載せた場合はインデックス原稿読取りキーを押し下げないようにして、インデックス原稿読取りキーの押し下げ動作を使用者が選択して読み取らせるようにした選択方式がある。（例えば、特許文献１参照。）
【０００５】
【特許文献１】
特開２００２−３５９７２０号公報
【０００６】
【発明が解決しようとする課題】
しかしながら、前述の交互方式と選択方式の何れの方式においても、原稿を読み取らせる場合に、使用者はインデックス原稿と本文原稿を交互にＡＤＦに載せ、しかも、インデックス原稿をＡＤＦに載せるたびに、また、本文原稿をＡＤＦに載せるたびに、スタートキーかインデックス原稿読取りキーを押す動作を繰り返すことが必要になり、極めて煩わしい操作であった。
【０００７】
特に、複数の原稿束の原稿を読み取らせる場合は、インデックス原稿又は本文原稿を載せる順番やキー操作を間違えないようにと気遣いながら慎重に操作しなければならず、短時間で迅速に原稿の読み込みができないといった問題があった。
【０００８】
本発明は、上記問題に鑑み、インデックス原稿と本文原稿が混在する原稿束の原稿の読取り操作を簡便にして、原稿の読み取りが迅速にできる画像形成装置を提供することを目的とする。
【０００９】
【課題を解決するための手段】
上記目的は、下記構成を採ることにより達成される。
【００１０】
（１）  インデックス原稿と本文原稿とが混在した原稿束から１ページ毎に原稿を搬送させる原稿搬送手段と、前記原稿の画像データを読み取る画像読取手段と、読み取られた前記画像データを記憶する画像データ記憶手段と、読み取られた前記原稿のページ数を計数して記憶する原稿ページ数記憶手段と、前記インデックス原稿のページ番号を記憶するインデックス原稿ページ番号記憶手段と、インデックス用の出力媒体及び通常の出力媒体を収納し、画像形成動作に応答して、それぞれの前記出力媒体を給排紙搬送する給排紙手段と、画像形成を行う時に、前記原稿ページ数記憶手段に記憶された前記ページ数と前記インデックス原稿ページ番号記憶手段に記憶された前記ページ番号とが一致した場合は、前記インデックス用紙に画像を形成する作動を行なわせ、それ以外の場合は、通常の出力媒体に画像を形成する作動を行なわせる制御手段と、を備えた画像形成装置において、
前記インデックス原稿が前記本文原稿の最上部に重ねられた第１の原稿束を読み取る第１の読取モードを有し、前記第１の読取モードを実行する時は、前記制御手段は、前記画像読取手段を作動させ前記第１の原稿束から原稿の画像データを読み取らせると共に、前記原稿ページ数記憶手段と前記インデックス原稿ページ番号記憶手段とを作動させ、前記原稿ページ数記憶手段には前記第１の原稿束から搬送された前記原稿のページ数を記憶させると共に、前記インデックス原稿ページ番号記憶手段には、前記第１の原稿束から最初に搬送された前記原稿のページ数を記憶させるようにしたことを特徴とする画像形成装置。
【００１１】
（２）  前記インデックス原稿が前記本文原稿の最下部に重ねられた第２の原稿束を読み取る第２の読取モードと、全ての原稿を本文原稿として取り扱う作動を行うインデックス原稿除外手段を備え、
前記第２の読取モードを実行する時は、前記制御手段は、インデックス原稿除外手段の作動に応答して、前記画像読取手段を作動させ、初回は前記第２の原稿束からインデックス原稿を取り除いた原稿束の原稿を読み取らせると共に、前記原稿ページ数記憶手段を作動させ、次回以降は、取り除いたインデックス原稿を前記本文原稿の最上部に重ねた原稿束の原稿を読み取るように、前記第１の読取モードで、前記画像読取手段を作動させると共に、前記原稿ページ記憶手段とインデックス原稿ページ番号記憶手段とを作動させるようにしたことを特徴とする前記（１）に記載の画像形成装置。
【００１２】
（３）  前記第１の原稿束の原稿枚数が前記搬送手段に載置可能な規定枚数を超過するときは、前記第１の原稿束の原稿が規定枚数以内になるように前記第１の原稿束を複数に分割して形成した分割原稿束を前記原稿搬送手段により搬送し、前記第１の読取モードを実行する時は、前記制御手段は、初回の前記分割原稿束については、画像読取手段を作動させると共に、前記原稿ページ記憶手段とインデックス原稿ページ番号記憶手段を作動させ、次回以降の分割原稿束については、前記インデックス原稿除外手段の作動に応答して、画像読取手段を作動させると共に、前記原稿ページ記憶手段を作動させるようにしたことを特徴とする前記（１）又は（２）に記載の画像形成装置。
【００１３】
（４）  前記第２の原稿束の原稿枚数が前記搬送手段に載置可能な規定枚数を超過するときは、前記第２の原稿束の原稿が規定枚数以内になるように、前記第２の原稿束からインデックス原稿を取り除いた原稿束を複数に分割して形成した分割原稿束を前記原稿搬送手段により搬送し、前記制御手段は、前記インデックス原稿除外手段の作動に応答して、前記原稿ページ数記憶手段を作動させ、画像読取手段を作動させる操作を繰り返して、複数に分割した分割原稿束の全てを読み取らせるようにしたことを特徴とする前記（１）乃至（３）に記載の画像形成装置。
【００１４】
（５）  前記制御手段は、前記画像読取手段により前記原稿束の前記インデックス原稿を読み取らせる場合は、前記インデックス原稿の片面の画像データのみを読み取るように制御することを特徴とする前記（１）乃至（４）に記載の画像形成装置。
【００１５】
（６）  確認のために読み取った原稿の画像をコピーする確認コピーモードを備え、前記制御手段は、全ての前記原稿束を読み取った後に、自動的に、確認コピーモードを実行するようにしたことを特徴とする前記（１）乃至（５）に記載の画像形成装置。
【００１６】
【発明の実施の形態】
以下、本発明の実施の形態について図面を参照しながら説明するが、本発明は、これに限定されるものではない。
【００１７】
図１は画像形成装置の概略図である。図２は画像形成装置を構成する各手段と回路構成を示すブロック図である。図３は原稿束の例を示す模式図である。図４は原稿束を読み取る手順を示すフローチャートである。図５は原稿束の原稿を分割して読み取る手順を示すフローチャートである。
【００１８】
なお、各図面において、同一符号のものは同一のものを示すものとし、適宜、他の図面を参照して、詳細に説明するものとする。
【００１９】
図１により、本発明に係る画像形成装置の構成について説明する。
なお、本発明の実施の形態における画像形成装置は電子写真方式の複写機とする。電子写真方式の複写機はよく知られているので、本発明と直接関わりのない部分に関しては簡単に説明する。
【００２０】
２０は画像形成装置全体を示し、画像形成装置２０の筐体１の右側面部には、比較的少量の紙やＯＨＰシート等の通常の出力媒体Ｐ（普通紙ともいう。）を供給するための手差し皿２が設けられている。
【００２１】
また、左側面部には、画像が形成され排出された通常の出力媒体Ｐ（普通紙ともいう。）、又は、後述するインデックス原稿に基く画像を形成するためのインデックス用の出力媒体ＩＰ（インデックス用紙ともいう。）等を積載するための排紙皿３が設けられている。
【００２２】
筐体１の前面の上部には、画像形成装置２０を作動させるための表示手段及び操作入力手段としてのコントロールパネルＣＰが設けられている。
【００２３】
コントロールパネルＣＰには、例えば、液晶表示装置、あるいは、液晶表示装置にタッチパネル等が組み込まれた表示装置ＤＰと、数値等を入力するキーボードＫＢ、コピー等の一連の画像形成動作を実行させるスタート釦ＳＫ、確認のためにコピーを実行させる確認コピー釦ＫＫ、及び、後述するインデックス原稿と本文原稿とが混在する原稿を読み取る際に、インデックス原稿を読み取るモードが設定されている時、インデックス原稿の代わりに本文原稿を読み取ることが必要になった時に操作するインデックス原稿除外釦ＪＫ等からなる入力装置とが設けられている。
【００２４】
筐体１の底面部には画像形成装置２０を移動できるようにするための複数のローラ４が設けられている。
【００２５】
筐体１の内部には、制御手段ＥＣ、画像形成手段１１、画像読取手段１３、及び給排紙手段１４等が設けられている。
【００２６】
制御手段ＥＣは、制御回路とも呼ばれ、画像形成装置２０の全ての作動を制御するための手段で、ＣＰＵ等からなる電気回路で構成されている。そして、ＣＰＵに予め記憶された制御プログラム等に基づき、画像形成装置２０を構成する全ての手段を駆動制御するようになっている。
【００２７】
画像形成手段１１は、出力媒体Ｐに、原稿の画像情報に基づく画像を形成するための手段である。
【００２８】
予め設定された作像方向（矢印Ｙ）に回転する感光体ドラム５、感光体ドラム５を一様に帯電する帯電手段６、原稿の画像情報（画像データともいう）に基づき信号化され、感光体ドラム５に静電潜像を形成する露光光Ｅ、感光体ドラム５に形成された静電潜像をトナー像として顕像化する現像手段７、感光体ドラム５に形成されたトナー像を出力媒体Ｐに転写する転写分離手段８、トナー像が出力媒体Ｐに転写された後、感光体ドラム５に残留するトナーや紙粉等を掻き落とすためのクリーニング手段９、及び、転写されたトナー像を出力媒体Ｐに溶融固着するための定着手段１０等により構成されている。
【００２９】
画像読取手段１３は、光源ＬＴ、ミラーＭＲ１、ＭＲ２、ＭＲ３、結像レンズＬＺ等からなる読取光学系と、ＣＣＤ（固体撮像素子）等を含む電気回路からなる読取装置ＥＳとで、構成されている。
【００３０】
読取装置ＥＳは、画像形成装置２０のプラテンガラス（図示せず）上に載置した原稿や自動原稿送り装置３０で、読取位置に搬送された原稿の画像情報を読み取り、デジタルの画像データに変換して、後述する記憶手段１６０に画像データを記憶するようになっている。
【００３１】
画像読取手段１３により原稿を読み取る場合は、読取位置に搬送された原稿を光源ＬＴが照射し、ミラーＭＲ１、ＭＲ２、ＭＲ３を介して、原稿からの反射光を結像レンズＬＺにより読取装置ＥＳのＣＣＤ面に結像させ、ＣＣＤの出力する画像情報を画像データとして記憶する。
【００３２】
給排紙手段１４は、給紙カセット１２と、駆動源としてのモータや複数のローラ等からなる給排紙搬送装置で構成されている。
【００３３】
給紙カセット１２は、インデックス用紙ＩＰを収納するインデックス用紙カセット１２ａと、普通紙Ｐを収納する普通紙用カセット１２ｂとで構成されている。
【００３４】
給排紙搬送装置は、制御手段ＥＣの指示により、インデックス用紙ＩＰ又は普通紙Ｐを選択した後に、モータを回転させ、複数のローラ等を回転駆動させて、給紙カセット１２から適切なタイミングで感光体ドラム５に向けてインデックス用紙ＩＰ又は普通紙Ｐを給紙搬送し、画像が形成された後に、排紙皿３へ排紙搬送するようになっている。
【００３５】
筐体１の上部には、自動原稿送り装置（ＡＤＦ）３０が装備されており、画像形成装置２０の画像読取手段１３と連動して、原稿を自動的に読取装置ＥＳの読取位置に向けて搬送し、読取装置ＥＳにより原稿の画像情報を読み取らせることができるようになっている。
【００３６】
ＡＤＦ３０は、搬送装置全体がＡＤＦ筐体３１で覆われ、ＡＤＦ筐体３１の外部に原稿載置台３２と排紙部３３が設けられている。
【００３７】
原稿載置台３２には、第１頁の原稿面（表面）を最上部にした状態の複数の原稿ＷＰが載置される。載置された原稿ＷＰは、原稿搬送装置により読取位置に搬送され、読取装置ＥＳで読み取られ、排紙部３３に排紙される。
【００３８】
原稿搬送装置は、図示せぬ駆動制御回路により、画像形成装置２０の制御手段ＥＣと連動して作動するようになっている。
【００３９】
原稿搬送装置は、原稿載置台３２に載置された原稿ＷＰを１枚づつ送り出す送りローラ３４、送られた原稿ＷＰを一旦停止させ、適切なタイミングで順次搬送させるための一対のローラからなる搬送ローラ（Ａ）３５、従動して回転するローラ３７に対向して設けられ、原稿ＷＰをローラ３７との間に挟持して従動回転する搬送ローラ（Ｂ）３６、搬送されてきた原稿ＷＰをローラ３７との間に挟持して、読取装置ＥＳで読み取れるように、読取位置に搬送する読取ローラ３８、読み取られた原稿ＷＰを矢印Ｌ方向に排紙搬送する一対の排紙ローラ３９、原稿ＷＰを裏返して裏面の画像情報を読み取れるようにするための反転部材４０、及び、搬送された原稿ＷＰを検出し検知情報を出力する原稿検出センサＳ１等で構成されている。
【００４０】
原稿検出センサＳ１は、フォトセンサや機械的なスイッチ等により構成され、搬送ローラ（Ａ）３５と搬送ローラ（Ｂ）との間に配置されている。
【００４１】
原稿検出センサＳ１は、搬送方向における原稿ＷＰの先端、又は後端を検出して、原稿ＷＰの搬送が完了したことを検出し、搬送した原稿の枚数（ページ数ともいう。）を検出する計数情報と、次の原稿ＷＰの搬送を開始させるための搬送開始情報を得るようになっている。
【００４２】
また、インデックス原稿の場合は、インデックス用紙の側端部にタブと称する突部が設けられているので、このタブの有無を検出して、インデックス原稿かその他の原稿かを判別するための原稿種類情報を、必要に応じて、得ることができるようになっている。
【００４３】
なお、原稿検出センサＳ１で検出された計数情報、搬送開始情報、原稿種類情報は、読み取り時には、後述する情報制御回路１２０を介して、記憶手段１６０に記憶され、画像形成時には、情報制御回路１２０は記憶されたこれらの情報を読み出して、インデックス原稿のページ番号と記憶された画像データに対する原稿の枚数（ページ数）とが一致したとき、インデックス用紙に画像を形成するように制御するための情報として活用される。
【００４４】
次に、自動原稿送り装置（ＡＤＦ）３０の搬送作動について説明する。
搬送作動には、原稿ＷＰの片面のみの画像情報を読み取らせる片面モードと原稿ＷＰの表裏両面の画像情報を読み取らせる両面モードがある。
【００４５】
（１）片面モードの場合
送りローラ３４により原稿載置台３２から原稿ＷＰを１枚づつ送り出し、搬送ローラ（Ａ）３５が１枚目の原稿ＷＰを搬送した後は、原稿検出センサＳ１が出力した搬送開始情報により、駆動制御回路が適切なタイミングで送りローラ３４及び搬送ローラ（Ａ）３５を作動させ、２枚目以降の原稿ＷＰを順次搬送するようになっている。
【００４６】
搬送ローラ（Ａ）３５が作動して搬送された原稿ＷＰは、搬送ローラ（Ｂ）３６を介して読取ローラ３８により読取位置に搬送される。そして、原稿ＷＰが読取位置を通過する時に、読取装置ＥＳにより、画像情報が読み取られる。引き続いて、原稿ＷＰは排紙ローラ３９により矢印Ｌ方向に搬送され、排紙部３３に排紙される。
【００４７】
反転部材４０は、片面モードの場合は、図示位置に有り、作動しない。
（２）両面モードの場合
原稿ＷＰが読取位置を通過する時に、読取装置ＥＳにより、原稿ＷＰの片面（表面）の画像情報が読み取られ、原稿ＷＰが排紙ローラ３９の方向に搬送されるまでの作動は、片面モードと同じ作動を行う。
【００４８】
次に、排紙ローラ３９が原稿ＷＰを矢印Ｌ方向に搬送して、原稿ＷＰの後端が反転部材４０に乗ると、排紙ローラ３９は回転を停止する。排紙ローラ３９の回転が停止すると、反転部材４０は軸４０ａを中心に時計方向に回転し、原稿ＷＰの後端がローラ３７に乗り上げることができる位置で停止する。
【００４９】
次に、排紙ローラ３９は逆回転し、原稿ＷＰは矢印Ｋ方向に搬送され、再度、搬送ローラ（Ｂ）３６を介して読取ローラ３８により読取位置へ搬送される。
【００５０】
この作動で、原稿ＷＰの表裏が反転し、裏面の画像情報を読取装置ＥＳで読み取ることができ、原稿ＷＰの表裏両面の画像情報を読み取ることができるようになっている。
【００５１】
この間に、反転部材４０は軸４０ａを中心に反時計方向に回転して初期状態に戻されるので、読取ローラ３８により読取位置に搬送された原稿ＷＰは、片面モードと同様に、読取装置ＥＳにより、反転した裏面の画像情報を読み取られながら排紙ローラ３９方向に搬送され、引き続いて、排紙ローラ３９により矢印Ｌ方向に搬送され、排紙部３３に排紙される。
【００５２】
なお、詳細は割愛するが、読取に際して、片面モード又は両面モードのどちらのモードを選択するかは、コントロールパネルＣＰの、例えば、キーボードＫＢを操作して選択できるようになっている。
【００５３】
そして、読取時に選択設定された片面モード又は両面モードに対応して、画像形成は、片面モード又は両面モードの何れかが実行される。
【００５４】
以上のように、原稿を読み取る場合は、原稿の画像情報が両面にあるか否かで、片面モード又は両面モードの何れかを選択して設定すればよく、一般に、インデックス原稿の場合は片面のみに画像情報がある場合が多いので、インデックス原稿を読み取る場合は、自動的に、片面モードに設定することが好ましい。
【００５５】
しかしながら、場合によっては、インデックス原稿の両面に画像情報が存在するものもあるので、このよな場合に対応できるように、インデックス原稿の読取に際して、コントロールパネルＣＰのキーボードＫＢを操作して片面モードや両面モードを選択できるようにしても良い。
【００５６】
図２により、本発明に係る画像形成装置の回路構成について説明する。
１００は画像形成装置２０に係わる各種手段と回路との構成を示している。１１０は画像形成装置全体の制御を行うＣＰＵであり、画像形成装置２０を制御するための各種モードのプログラムやプログラムを実行するために必要なデータ等が予め記憶されている。
【００５７】
ＣＰＵ１１０には、情報制御回路１２０、画像処理回路１４０、駆動制御回路１５０および電源回路４００等が接続されている。そして、これらの回路により図１に示す制御手段ＥＣが構成され、画像形成装置２０全体の制御ができるようになっている。
【００５８】
情報制御回路１２０は、ＣＰＵ１１０の指示により、インタフェース（Ｉ／Ｆ）１３０を介して外部情報機器５００と接続して、文字や画像等の画像情報や画像形成等に必要な濃度や倍率等の設定情報を入力し記憶手段１６０に記憶する。
【００５９】
そして、記憶手段１６０に記憶された設定情報を画像処理回路１４０や駆動制御回路１５０、あるいは表示手段３００等に出力するようになっている。
【００６０】
また、情報制御回路１２０は、外部情報機器５００から入力した画像情報や設定情報の他に、画像処理回路１４０や駆動制御回路１５０等を含む回路や各種手段の作動に必要な指示情報の入出力、及び操作入力手段２００で入力された各種情報等を画像形成装置の作動に支障がないように、適宜円滑に画像形成装置の各回路や各種手段に伝達する機能を有している。
【００６１】
また、本発明の実施の形態においては、後述するインデックス原稿と本文原稿が混在した原稿束の原稿を読み取り、画像形成を行うために、情報制御回路１２０は、原稿検出センサＳ１で検出された原稿の枚数を示す計数情報や先に搬送した原稿の搬送完了を示す搬送開始情報等を入力するよになっている。
【００６２】
例えば、原稿の読み取り時には、記憶手段１６０に、原稿の枚数（ページ数ともいう。）を記憶させたり、同様に、インデックス原稿のページ番号（Ｎ数ともいう。）の情報として記憶させるようになっている。
【００６３】
また、画像形成時には、記憶手段１６０に記憶されたこれらの情報を読み出して、インデックス原稿のページ番号と原稿のページ数とが一致したとき、ページ番号に対応して記憶された画像データに基づきインデックス用紙に画像を形成させる制御をＣＰＵ１１０が実行させるが、その際の判定手段としての機能も備えている。
【００６４】
なお、外部情報機器５００は、主としてコンピュータやインターネット・サーバーであるが、場合によっては、ローカル・エリア・ネットワーク（ＬＡＮ）上の他の画像形成装置、あるいは、デジタル・カメラや計測した情報を出力可能な計測装置等の情報機器が想定される。
【００６５】
インタフェース（Ｉ／Ｆ）１３０は、情報授受手段であり、前述のコンピュータやインターネット・サーバー等の外部情報機器５００と各種ネットワークを介して接続できるように構成されている。
【００６６】
操作入力手段２００は、画像形成装置２０のコントロールパネルＣＰに設けられた入力装置である。前述した例えば、キーボードＫＢ、スタート釦ＳＫ、確認コピー釦ＫＫ、及び、インデックス原稿除外釦ＪＫ等が想定される。
【００６７】
一般には、キーボードＫＢを操作することにより、出力媒体（記録部材又は転写部材ともいう。）の出力枚数や種類（例えば、インデックス用紙、厚紙、普通紙、薄紙、再生紙、ＯＨＰシート等）、あるいは拡大縮小等の倍率や出力画像の濃度等の設定情報が入力できるようになっている。
【００６８】
また、操作入力手段２００は、場合によっては、作動モードを設定するための入力手段にもなる。特に、本発明の実施の形態においては、後述する読取モードの設定や選択を行う入力装置になっている。
【００６９】
表示手段３００は、例えば、液晶表示装置、あるいは、液晶表示装置にタッチパネル等が組み込まれた表示装置ＤＰ等により構成されている。
【００７０】
そして、操作入力手段２００で情報を入力する際の操作手順や各種情報の一覧表示、あるいは記憶手段１６０に記憶された情報の表示、画像形成装置の作動中の状態表示や警告表示等が表示されるようになっている。
【００７１】
特に、本発明の実施の形態においては、後述する読取モードに応じてＡＤＦ３０に載置する原稿の取り扱い手順や画像形成装置２０の操作手順等を表示するようになっている。
【００７２】
画像処理回路１４０は、ＣＰＵ１１０の指示により、画像読取手段１３が読み取った原稿の画像情報をデジタル変換して、画像データとして記憶手段１６０に記憶させたり、記憶手段１６０に記憶されている画像データに基づき画像形成手段１１が画像を形成する際に、画像形成手段１１の画像形成方式に適したデータや信号等に変換する回路である。
【００７３】
駆動制御回路１５０は、ＣＰＵ１１０の指示により、画像形成手段１１、画像読取手段１３、給排紙手段１４、及び、ＡＤＦ３０等を、予め設定された作動モードに基づき、適切なタイミングで作動させ画像形成作動を行なわせるための回路である。
【００７４】
記憶手段１６０は、画像を形成するために必要な画像情報や、画像形成装置２０を制御するための設定条件、及び、各種設定モードのプログラム等の情報を記憶するようになっている。
【００７５】
特に、本発明の実施の形態における記憶手段１６０は、インデックス原稿と本文原稿が混在した原稿束から原稿の画像情報を読み取り画像形成の制御を行うために、３つの記憶手段で構成されている。
【００７６】
１つは、読み取った画像情報をデジタル変換した画像データ、及び、画像データに関連した各種のデータ、例えば、色や濃度、あるいはページ番号に対応した画像データ等の情報を記憶する画像データ記憶手段１６１である。
【００７７】
もう１つは、画像情報を読み取った原稿のページ数を計数して記憶する原稿ページ数記憶手段（原稿Ｐ数記憶手段ともいう。）１６３である。
【００７８】
そして、インデックス原稿のページ番号を記憶するインデックス原稿ページ番号記憶手段（Ｉ原稿Ｎ記憶手段ともいう。）１６２である。
【００７９】
画像形成手段１１は、図１に示すように、感光体ドラム５、帯電手段６、現像手段７、転写分離手段８、クリーニング手段９、及び定着手段１０等により構成され、駆動制御回路１５０により作動される。画像読取手段１３で読み取られ、画像データ記憶手段１６１に記憶された画像データに基づき、感光体ドラム５に画像を形成し、普通紙Ｐまたはインデックス用紙ＩＰに画像を転写し記録するようになっている。
【００８０】
画像読取手段１３は、図１に示すように、読取光学系と読取装置ＥＳとで構成されている。駆動制御回路１５０により作動され、読取位置に搬送された原稿の画像情報を読取装置ＥＳで読み取り、読み取られた画像情報は、例えば、画像処理回路１４０により、デジタルの画像データに変換して、画像データ記憶手段１６１に記憶するようになっている。
【００８１】
給排紙手段１４は、図１に示すように、インデックス用紙ＩＰと普通紙Ｐを収納する給紙カセット１２と給排紙搬送装置で構成されている。
【００８２】
給排紙搬送装置は、ＣＰＵ１１０の指示により、情報制御回路１２０が原稿のページ数とインデックス原稿のページ番号とを比較することにより、インデックス用紙ＩＰ又は普通紙Ｐが選択された後に、駆動制御回路１５０を介して作動する。給紙カセット１２から選択されたインデックス用紙ＩＰ又は普通紙Ｐを適切なタイミングで感光体ドラム５に向けて給紙搬送し、画像が形成されたインデックス用紙ＩＰ又は普通紙Ｐを排紙皿３へ排紙搬送するようになっている。
【００８３】
自動原稿送り装置（ＡＤＦ）３０は、図１に示すように、原稿載置台３２に載置された原稿を原稿搬送装置により自動的に１枚づつ読取位置に搬送する装置で、画像形成装置２０のＣＰＵ１１０の指示により、駆動制御回路１５０と連携して作動する。
【００８４】
ＡＤＦ３０に設けられている原稿検出センサＳ１は、搬送された原稿の先端、又は後端を検出して原稿の搬送に関連する情報を取得する。
【００８５】
例えば、原稿の搬送時には、搬送した原稿ＷＰのページ数（枚数）を検出する計数情報と、次の原稿ＷＰの搬送を開始させるための搬送開始情報、また、インデックス原稿かその他の原稿かを判別するための原稿種類情報を取得して、これらの情報を情報制御回路１２０を介して、記憶手段１６０に記憶するようになっている。
【００８６】
また、画像形成時には、記憶されたこれらの情報を情報制御回路１２０が読み出して、インデックス原稿のページ番号と原稿のページ数とを比較し、一致したときは、インデックス用紙ＩＰに画像を形成するように、また、一致しないときは普通紙Ｐに画像を形成するように、駆動制御回路１５０を介して画像形成手段１３及び給排紙手段１４を作動させるための情報として活用される。
【００８７】
電源回路４００は、使用者の操作により、電源スイッチ（図示せず）が投入されると、電源から適切な通電が画像形成装置全体に行われ、電源スイッチが遮断されると、通電が遮断されるようになっている。
【００８８】
なお、電源スイッチが投入されていても、例えば、画像形成装置を待機状態にする省電モードの場合は、ＣＰＵ１１０の指示により、一時的なメモリの記憶内容等の保存のために必要な通電のみを継続し、定着手段のヒータ等の他の通電を遮断するするようになっている。
【００８９】
次に、画像形成装置における原稿の読取制御について、図１及び図２を参照して説明する。
【００９０】
インデックス原稿と本文原稿とが混在した原稿束の原稿の読み取りを行う場合、２つの読取方式がある。
【００９１】
第１の読取方式は、インデックス原稿が本文原稿の最上部に重ねられた原稿束（第１の原稿束）を読み取る場合の方式で、１枚目の原稿はインデックス原稿であるから、原稿検出センサＳ１で検出された原稿枚数（ページ数）を原稿ページ数記憶手段１６３に記憶する際に、同時に、インデックス原稿のページ番号として、自動的にインデックス原稿ページ番号記憶手段１６２に記憶するようにしている。
【００９２】
具体的には、第１の読取方式は、読取釦ＳＫ（スタート釦ＳＫともいう。）が押されると、ＣＰＵ１１０の指示により、駆動制御回路１５０を介してＡＤＦ３０及び画像読取手段１３が作動し、１枚づつ読取位置に搬送される原稿の画像情報を読取装置ＥＳにより読み取り、画像処理回路１４０によりデジタル変換された画像データを画像データ記憶手段１６１に記憶する。
【００９３】
同時に、情報制御回路１２０は、原稿検出センサＳ１により検出された、原稿の枚数を原稿ページ数記憶手段１６３に、インデックス原稿のページ番号をインデックスページ番号記憶手段１６２に記憶するように制御する。
【００９４】
第２の読取方式は、インデックス原稿が本文原稿の最下部にある原稿束（第２の原稿束）を読み取る場合の方式で、まず、インデックス原稿除外釦ＪＫを押して、本文原稿を読み取った後に、先に読み取った本文原稿に付随するインデックス原稿を、次の本文原稿と一緒にして、新たに形成した１組の原稿束とすることにより、インデックス原稿が本文原稿の最上部に重ねられた原稿束となる。すなわち、第１の原稿束と構成が同じになるので、第１の読取方式が実行できることになる。従って、以降の読取りは、第１の読取方式と同様に行うことができるようになっている。
【００９５】
具体的には、第２の読取方式は、最初に本文原稿を読み取るために、インデックス原稿除外釦ＪＫを押して本文原稿の画像情報を読取装置ＥＳで読み取り、画像データ記憶手段１６１に記憶すると共に、原稿検出センサＳ１で原稿枚数（ページ数）を読み取り、原稿ページ数記憶手段に記憶させ、その後の原稿束は、第１の読取方式で読み取るようにしたものである。
【００９６】
すなわち、第１の読取方式と第２の読取方式の２つの方式は、インデックス原稿除外釦ＪＫを押して、本文原稿のみを読み取らせるインデックス除外方式の読取制御と、第１の読取方式の読取制御を備えていれば、この２つの読取制御を組み合わせることで実行できることになるので、読取制御が簡単にできる利点がある。
【００９７】
つまり、インデックス原稿が本文原稿の最上部に重ねられた第１の原稿束と同様の構成で形成された原稿束を１つの単位として順に読み取らせることで、インデックス原稿と本文原稿とを原稿積載台３２に交互にセットする必要がなく、原稿をセットする回数を削減でき、読取操作を簡単にすることができる。
【００９８】
また、インデックス原稿が本文原稿の最上部に重ねられているので、原稿束から最初に読み取られた原稿はインデックス原稿であり、この原稿のページ数をインデックス原稿ページ番号記憶手段１６２に記憶すればよいので、特別な検出作動が必要がなくなり、容易にインデックス原稿のページ番号を記憶でき、制御手段ＥＣにおける読取制御が簡単になった。
【００９９】
また、第２の読取方式も、最初に本文原稿からなる原稿束を読み取らせれば、以降は、第１の読取方式で読み取らせることができるので、使用者が複雑な操作を覚えたり、実行する必要が無くなり、迅速な読取作業が行えるようになった。
【０１００】
従って、第１の読取方式も第２の読取方式も、ほぼ同様の操作で、簡単で迅速な読み取り作業を行わせることができ、原稿の読み取りが迅速にできる画像形成装置を提供することができるようになった。
【０１０１】
次に、画像形成作動について説明する。
インデックス原稿と本文原稿とが混在した原稿束の原稿の画像形成する場合は、画像形成装置２０のコピー釦ＳＫ（スタート釦ＳＫともいう。）が押されると、ＣＰＵ１１０の指示により、情報制御回路１２０は、原稿ページ数記憶手段１６３に記憶されたページ数に従い、１ページから順に画像データ記憶手段１６１に記憶された画像データを読み出し、画像形成手段１１により画像形成作動を実行する。
【０１０２】
また、情報制御回路１２０は、原稿ページ数記憶手段１６３に記憶されたページ数と、インデックス原稿ページ番号記憶手段１６２に記憶されたページ番号とを比較して、一致したとき、駆動制御回路１５０を介して給排紙手段１４を作動させ、画像形成手段１１の感光体ドラム５に向けて、インデックス用紙ＩＰを給紙搬送させることにより、インデックス原稿の画像情報をインデックス用紙ＩＰに画像形成することができるようになっている。
【０１０３】
また、一致しなかったときは、画像形成手段１１の感光体ドラム５に向けて、普通紙Ｐを給紙搬送することにより、本文原稿の画像情報を普通紙Ｐに画像形成できるようにしている。
【０１０４】
次に、図３により、インデックス原稿と本文原稿とが混在した原稿束について詳細に説明する。
【０１０５】
インデックス原稿は、側面にタブと呼ばれる突起の有るインデックス用紙に画像情報が記録された原稿であり、本文原稿は、通常は普通紙と呼ばれる用紙に画像情報が記録された原稿である。
【０１０６】
一般には、テーマ名や概要が記録され、タブ部に見出しが記録された１枚のインデックス原稿と、詳細な内容が記録された本文原稿が複数枚重ねられて、インデックス原稿と本文原稿とが混在した原稿束が、一つのテーマ毎に構成される。
【０１０７】
原稿束の構成の例として、２つの方式が考えられる。
一つは、（イ）図に示すように、本文原稿の最上部にインデックス原稿が重ねられた原稿束であり、もう一つは、（ロ）図に示すように、本文原稿の最下部にインデックス原稿が重ねられた原稿束である。
【０１０８】
（イ）図の場合の原稿束について説明する。
Ｉ１〜Ｉ５はインデックス原稿を示し、Ｇ１〜Ｇ５は本文原稿を示す。そして、ＷＰ１〜ＷＰ５は原稿束を示している。
【０１０９】
原稿束ＷＰ１はＩ１とＧ１（２０枚）で構成され、ＷＰ２はＩ２とＧ２（３０枚）、ＷＰ３はＩ３とＧ３（４０枚）、ＷＰ４はＩ４とＧ４（５０枚）、ＷＰ５はＩ５とＧ５Ａ（６０枚）及びＧ５Ｂ（６０枚）で構成されているものとする。
【０１１０】
原稿束ＷＰ５の本文原稿をＧ５ＡとＧ５Ｂに分割した理由は、本発明の実施の形態で使用したＡＤＦの原稿載置台には１００枚までしか載置できないという規定枚数の制限があるからである。
【０１１１】
つまり、原稿束ＷＰ１〜ＷＰ４までの本文原稿Ｇ１〜Ｇ４までは、１００枚以内であり、分割する必要はないが、原稿束ＷＰ５の本文原稿は１２０枚有り、分割する必要があったからである。
【０１１２】
なお、Ｎ１〜Ｎ６は、原稿を原稿載置台３２に載置する作業回数を示し、この例では６回の作業が必要であることを示している。
【０１１３】
（ロ）図の場合の原稿束について説明する。
Ｉ２１〜Ｉ２５はインデックス原稿を示し、Ｇ２１〜Ｇ２６は本文原稿を示す。そして、ＷＰ２１〜ＷＰ２５は原稿束を示している。
【０１１４】
本文原稿Ｇ２１Ａ（６０枚）、Ｇ２１Ｂ（６０枚）、Ｇ２２（５０枚）、Ｇ２３（４０枚）、Ｇ２４（３０枚）、Ｇ２５（２０枚）とする。
【０１１５】
なお、（イ）図の場合と同じ理由で、原稿束ＷＰ２１の本文原稿は、Ｇ２１ＡとＧ２１Ｂに分割する必要があったものとする。もちろん、規定枚数を超過しない場合は分割する必要はない。
【０１１６】
なお、ｎ１〜ｎ７は、原稿を原稿載置台３２に載置する作業回数を示し、この例では７回の作業が必要であることを示している。
【０１１７】
次に、原稿束の読み取り作動について説明する。
（イ）図の場合
まず、ＡＤＦ３０の原稿載置台３２に原稿束ＷＰ１を載置し、画像形成装置２０のコントロールパネルＣＰに設けられた読取釦ＳＫを押して、インデックス原稿と本文原稿が混在した原稿束の原稿の画像情報を、画像読取手段１３の読取装置ＥＳにより読み取らせ、デジタル変換された画像データが記憶される（Ｎ１）。搬送された原稿の枚数はＡＤＦ３０に設けられた原稿検出センサＳ１で検出し、検出された枚数は原稿ページ数記憶手段１６３に記憶される。
【０１１８】
原稿束ＷＰ１の読み取りが完了すると、次に、原稿束ＷＰ２を原稿載置台３２に載置して、１回目（Ｎ１）と同様に、画像情報を読み取らせる（Ｎ２）。以降、同様にＷＰ４まで読み取らせる（Ｎ４）。
【０１１９】
次に、原稿束ＷＰ５の場合は、インデックス原稿Ｉ５と本文原稿Ｇ５Ａを読み取らせる（Ｎ５）。その後、本文原稿Ｇ５Ｂのみを読み取らせる（Ｎ６）。
【０１２０】
本文原稿Ｇ５Ｂを読み取らせる場合は、インデックス原稿がないので、インデックス原稿除外釦ＪＫを押した後に読み取らせる必要がある。
【０１２１】
従って、（イ）図の場合は、原稿載置台３２にＮ１〜Ｎ６、つまり、６回の載置を繰り返す作業を行えば、読み取れることになる。
【０１２２】
このように、（イ）図の場合は、基本的に、本文原稿の最上部にインデックス原稿が重ねられた原稿束を取り扱うので、一つの原稿束を読み取るときは、最初に読み取る原稿はインデックス原稿であるから、最初に読み込んだ原稿のページ願号を自動的に記憶手段１６０に記憶するようにすればよい。
【０１２３】
つまり、読取装置ＥＳにより画像情報を読み取らせると共に、原稿ページ数記憶手段１６３が、読み取った原稿のページ数を計数して記憶し、原稿束から最初に読み込んだ原稿のページ願号を自動的にインデックス原稿ページ番号記憶手段１６２に記憶するようにすれば良く、このように設定された第１の読取方式の読取モードを第１の読取モードという。
【０１２４】
また、Ｇ５Ｂを最後に読み取る場合は、Ｇ５Ｂの原稿束にインデックス原稿が無いので、インデックス原稿除外釦ＪＫを押して読み取るようにすれば、Ｇ５Ｂの原稿束から最初に搬送された原稿をインデックス原稿と見なさず、インデックス原稿ページ番号記憶手段１６２にページ番号を記憶しない。
【０１２５】
そして、（イ）図の場合、インデックス原稿ページ番号記憶手段１６２に記憶されたインデックス原稿のページ番号は、１、２２、５３、９４、１４５となり、原稿ページ数記憶手段１６３には総枚数（総ページ数）として２６５が記憶される。
【０１２６】
そして、画像形成時に、原稿ページ数記憶手段１６３に記憶された２６５枚の原稿が１枚目（ページ）から順に画像形成され、インデックス原稿ページ番号記憶手段１６２に記憶されたページ番号と画像形成されているページ数とが一致したときには、インデックス用紙に画像形成を行い、一致しなかったときは、普通紙に画像形成を行うようにしている。
【０１２７】
（ロ）図の場合
ＡＤＦ３０の原稿載置台３２に、まず、原稿束ＷＰ２１の本文原稿Ｇ２１Ａを載置し、インデックス原稿除外釦ＪＫを押して、本文原稿のみを読み取らせる（ｎ１）。次も、本文原稿Ｇ２１Ｂを載置して、インデックス原稿除外釦ＪＫを押して、本文原稿のみを読み取らせる（ｎ２）。
【０１２８】
今度は、原稿束ＷＰ２１のインデックス原稿Ｉ２１と原稿束ＷＰ２２の本文原稿Ｇ２２を一緒にして、原稿載置台３２に載置して、インデックス原稿除外釦ＪＫの代わりに読取釦ＳＫを押して、インデックス原稿と本文原稿とが混在した原稿束から原稿の読み取りを行わせる（ｎ３）。
【０１２９】
ｎ３と同様に、以降、ｎ７まで、この操作を繰り返すと、（ロ）図に示す原稿束の原稿から画像情報を読み取ることができる。
【０１３０】
このように、本文原稿の最下部にインデックス原稿が重ねられた原稿束を読み取るように設定された第２の読取方式の読取モードを第２の読取モードという。
【０１３１】
つまり、第２の読取モードにおいては、インデックス原稿除外釦ＪＫを押して、最初に本文原稿Ｇ２１（Ｇ２１ＡとＧ２１Ｂ）を読み取らせた後は、ｎ３〜ｎ７まで、（イ）図の場合の読み取り作動と同様になる。
【０１３２】
すなわち、第２の読取モードにおいて、ｎ３以降については、原稿ページ数記憶手段１６３は、読み取った原稿のページ数を計数して計数値を記憶し、原稿束から最初に読み込んだ原稿のページ番号を自動的にインデックス原稿ページ番号記憶手段１６２に記憶するようにした第１の読取モードを実行するようにすれば良い。
【０１３３】
そして、（ロ）図の場合、インデックス原稿ページ番号記憶手段１６２に記憶されたインデックスページ番号は、１２１、１７２、２１３、２４４、２６５となる。
【０１３４】
また、画像形成時においては、（イ）図の場合と同様に、このページ番号と画像形成されているページ数とが一致したときには、インデックス用紙に画像形成を行い、一致しなかったときは、普通紙に画像形成を行うようにしている。
【０１３５】
図４により、原稿束を読み取る手順について説明する。なお、図１〜図３を適宜参照して詳細に説明する。
【０１３６】
前述のように、原稿束には２つの方式があるが、ここでは、（イ）図に示すように、本文原稿の最上部にインデックス原稿が重ねられた原稿束で、インデックス原稿を先に読み取る読取モードをインデックス優先モード（ＩＮＤＥＸ優先モードともいう。）といい、（ロ）図に示すように、本文原稿の最下部にインデックス原稿が重ねられた原稿束で、本文原稿を先に読み取る読取モードを本文優先モードということにする。
【０１３７】
また、インデックス原稿と本文原稿とが混在した原稿束の原稿を読み取る読取モードを混在モードといい、それ以外の読取モードを通常モード、または通常コピーモードという。
【０１３８】
（ＳＴ１）
原稿束が混在モードか否かを判断するステップである。混在モードの場合は、ＳＴ２に進み、それ以外の場合は、ＳＴ１９に飛び、通常コピーモードを実行する。
【０１３９】
（ＳＴ２）
インデックス優先モードで読み取る原稿束か否かを判断するステップである。インデックス優先モードで読み取る（イ）図のような原稿束の場合は、ＳＴ３に進み、（ロ）図のような原稿束の場合は、ＳＴ８に飛ぶ。
【０１４０】
（ＳＴ３）
インデックス優先モードで読み取る場合の手順を表示するステップである。表示手段３００に手順が表示され、手順に合わせて、例えば、「インデックス原稿を本文原稿の上に載せた原稿束を作成し、原稿束を順に原稿載置台にセットして下さい。」というメッセージが表示されると、ＳＴ４に進む。
【０１４１】
（ＳＴ４）
原稿束をセットするステップである。使用者は、手順表示を確認して、手順通りにＡＤＦ３０の原稿載置台３２に原稿束ＷＰをセットし、ＳＴ５に進む。
【０１４２】
（ＳＴ５）
読取釦を押す（ＯＮ）ステップである。画像形成装置２０のコントロールパネルＣＰに設けられた読取釦ＳＫが押されるとＳＴ６に進む。
【０１４３】
（ＳＴ６）
原稿束を読み取るステップである。ＡＤＦ３０は原稿束ＷＰから１枚づつ原稿を読取位置に搬送し、読取装置ＥＳは原稿の画像情報を読み取り、デジタル変換した画像データを記憶手段１６０に記憶する。
【０１４４】
また、原稿検出センサＳ１で検出された計数情報、搬送開始情報、原稿種類情報は、情報制御回路１２０を介して、記憶手段１６０に記憶される。
【０１４５】
特に、インデックス優先モードの場合は、原稿束の１枚目がインデックス原稿であるから、原稿検出センサＳ１で検出された計数情報の１枚目のみを自動的に記憶手段１６０の１つであるインデックス原稿ページ番号記憶手段１６２にページ番号を記憶する。
【０１４６】
また、計数情報により、原稿束から搬送された原稿の枚数（ページ数）を記憶手段１６０の１つである原稿ページ数記憶手段１６３に記憶する。原稿束の原稿を全て読み取ると、ＳＴ７に進む。
【０１４７】
（ＳＴ７）
原稿束が最終の原稿束か否かを判断するステップである。最終の原稿束、例えば、（イ）図の原稿束ＷＰ５、を読み取らせた場合は、読取釦ＳＫを押すとＳＴ１２に進み、読取釦ＳＫを押さなければ、ＳＴ３に戻る。
【０１４８】
なお、最終の原稿束をセットしたときに、読取釦ＳＫを押して、読み取りを開始させ、再度、読取釦ＳＫを押して最終の原稿束であることを制御手段ＥＳに記憶させ、このステップで読取釦ＳＫが２度押されたことを制御手段ＥＳが検出したときは、ＳＴ１２に進むようにしても良い。
【０１４９】
（ＳＴ８）
本文優先モードで読み取る場合の手順を表示するステップである。表示手段３００に手順が表示され、手順に合わせて、例えば、「本文原稿のみの原稿束を作成し、原稿束を原稿載置台にセットして下さい。」というメッセージが表示されると、ＳＴ９に進む。
【０１５０】
（ＳＴ９）
本文原稿をセットするステップである。使用者は、手順表示を確認して、手順通りにＡＤＦ３０の原稿載置台３２に、本文原稿のみの原稿束をセットし、ＳＴ１０に進む。
【０１５１】
（ＳＴ１０）
インデックス原稿除外釦を押す（ＯＮ）ステップである。インデックス原稿除外釦ＪＫが押されるとＳＴ１１に進む。なお、インデックス原稿除外釦ＪＫは、画像形成装置２０のコントロールパネルＣＰに設けられた除外釦ＪＫである。
【０１５２】
なお、（ロ）図の原稿束ＷＰ２１の本文原稿Ｇ２１は、原稿載置台３２の規定枚数を超過したものとしてＧ２１ＡとＧ２１Ｂに分割したので、読み取らせる場合は、Ｇ２１Ａをセットし、インデックス原稿除外釦ＪＫを押し、読み取とらせた後に、同様の手順で、Ｇ２１Ｂを読み取らせるので、操作が２回必要であるが、超過していない場合は、単に、本文原稿Ｇ２１をセットし、インデックス原稿除外釦ＪＫを押し、読み取らせる１回の操作で良い。
【０１５３】
（ＳＴ１１）
本文原稿を読み取るステップである。ＡＤＦ３０は原稿束ＷＰから１枚づつ本文原稿を読取位置に搬送し、読取装置ＥＳは原稿の画像情報を読み取り、デジタル変換した画像データを記憶手段１６０に記憶する。
【０１５４】
また、原稿検出センサＳ１で検出された計数情報、搬送開始情報、原稿種類情報は、情報制御回路１２０を介して、記憶手段１６０に記憶される。
【０１５５】
特に、インデックス原稿がなく、インデックス原稿除外釦ＪＫが押されているので、原稿検出センサＳ１で検出された計数情報の１枚目は、インデックス原稿ページ番号記憶手段１６２に記憶されないが、本文原稿の枚数（ページ数）は原稿ページ数記憶手段１６３に記憶される。本文原稿を全て読み取ると、ＳＴ３に進む。
【０１５６】
（ＳＴ１２）
確認コピーの手順を表示するステップである。確認コピーモードの手順が表示手段３００に表示されると、ＳＴ１３に進む。
【０１５７】
なお、確認コピーモードは、インデックス優先か否かに係わらず、全ての原稿束の読み取りが完了した時に、読み取った画像データを確認するために、試しにコピーを実行するモードである。
【０１５８】
（ＳＴ１３）
確認コピー釦を押す（ＯＮ）するステップである。表示手段３００に表示された手順に従い、コントロールパネルＣＰに設けられた確認コピー釦ＫＫを押すと、ＳＴ１４に進む。
【０１５９】
（ＳＴ１４）
確認コピーを実行するステップである。制御手段ＥＳは、確認コピー釦ＫＫが押されたことに応答して、画像形成手段１１及び給排紙手段１４を作動させて、画像データ記憶手段１６１に記憶された画像データに基づき画像を形成した後に、ＳＴ１５に進む。
【０１６０】
なお、確認コピーモードで画像形成を行う場合は、インデックス原稿の画像データはインデックス用紙ＩＰに、本文原稿は普通紙Ｐに画像形成することが好ましいが、インデックス原稿も本文原稿も普通紙Ｐに画像形成するようにしても良い。
【０１６１】
（ＳＴ１５）
確認コピーの内容を確認するステップである。確認コピーの内容を確認した結果、何らかの修正が必要であればＳＴ１８に飛び、修正等の必要がなければＳＴ１６に進む。
【０１６２】
（ＳＴ１６）
コピーを開始するステップである。コントロールパネルＣＰのキーボードＫＢ等の操作により必要なコピー部数等を入力した後に、コピー釦ＳＫ（スタート釦ＳＫともいう。）を押すとＳＴ１７に進む。
【０１６３】
（ＳＴ１７）
コピー作動を行うステップである。制御手段ＥＳは、コピー釦ＳＫが押されたことに応答して、画像形成手段１１及び給排紙手段１４を作動させて、画像データ記憶手段１６１に記憶された画像データに基づき画像を形成する。
【０１６４】
そして、インデックス原稿の画像データはインデックス用紙に、本文原稿は普通紙に画像形成して、所定部数のコピーを作成する。
【０１６５】
なお、画像形成を実行する場合は、具体的には、ＣＰＵ１１０の指示により、情報制御回路１２０は、原稿ページ数記憶手段１６３に記憶されたページ数に従い、１ページから順に画像データ記憶手段１６１に記憶された画像データを読み出し、画像形成手段１１により画像を形成する。
【０１６６】
そして、情報制御回路１２０は、原稿ページ数記憶手段１６３に記憶されたページ数と、インデックス原稿ページ番号記憶手段１６２に記憶されたページ番号とを比較して、一致したとき、駆動制御回路１５０を介して給排紙手段１４を作動させ、インデックス用紙ＩＰを給紙搬送することにより、インデックス原稿をインデックス用紙ＩＰに画像形成するようにしている。また、一致しないときは、普通紙Ｐにが像形成するようになっている。
【０１６７】
（ＳＴ１８）
確認コピーの内容確認の結果、修正処理を行うステップである。コントロールパネルＣＫを操作して、原稿の抜けがある場合は、対象となる原稿の読み取りを行わせ、画像濃度等の調整が必要な場合は調整して、再度、確認のためにＳＴ１２に戻る。
【０１６８】
（ＳＴ１９）
通常のコピー作動を実行して終了するステップである。つまり、インデックス原稿が混在しない原稿の場合は、通常のコピーモードを実行するようになっている。
【０１６９】
このように、インデックス優先モードの時は、本文原稿の最上部にインデックス原稿が重ねられた原稿束を、手順に従ってＡＤＦ３０にセットして、読取釦ＳＫを押して第１の読取モードで読み取らせれば良い。
【０１７０】
また、本文優先モードの場合は、インデックス原稿除外釦ＪＫを押して本文原稿を読み取らせた後に、第１の読取モードで読み取らせれば良い。
【０１７１】
従って、画像形成装置２０は、ＡＤＦ３０と協働して、インデックス原稿と本文原稿とが混在した原稿束の原稿を簡単な操作で迅速に読み取ることができる。
【０１７２】
図５により、原稿束の原稿を分割して読み取る手順について説明する。
ＡＤＦ３０の原稿載置台３２に載置できる原稿の枚数に制限がある場合、原稿を規定数以内に分割する必要がある。
【０１７３】
（ＳＴ３１）
原稿枚数が規定枚数を超過しているか否かを判断するステップである。超過している場合は、ＳＴ３２に進み、超過していない場合は、ＳＴ４４に飛ぶ。
【０１７４】
（ＳＴ３２）
原稿を分割して読み取るための手順を表示するステップである。表示手段３００に、原稿束が規定枚数以下になるように複数に分割した分割原稿束を作成する手順と、分割原稿束を順にセットする手順が表示されると、ＳＴ３３に進む。
【０１７５】
（ＳＴ３３）
原稿束を規定枚数以下に分割した分割原稿束を作成するステップである。手順に従って、複数個の分割原稿束を作成して、ＳＴ３４に進む。
【０１７６】
（ＳＴ３４）
作成した分割原稿束がインデックス優先の原稿束になっているか否かを判断するステップである。インデックス優先の分割原稿束を作成した場合は、ＳＴ３５に進み、本文原稿優先の原稿束を作成した場合は、ＳＴ３９に飛ぶ。
【０１７７】
（ＳＴ３５）
インデックス優先の分割原稿束を読み取る場合の手順を表示するステップである。表示手段３００に手順が表示されると、ＳＴ３６に進む。
【０１７８】
（ＳＴ３６）
分割原稿束を手順に従ってセットするステップである。インデックス原稿が本文原稿の最上部にある分割原稿束をＡＤＦ３０の原稿載置台３２に載置してＳＴ３７に進む。
【０１７９】
（ＳＴ３７）
読取釦を押す（ＯＮ）するステップである。読取釦ＳＫを押すと、ＳＴ３８に進む。
【０１８０】
（ＳＴ３８）
分割原稿束の原稿を読み取るステップである。ＡＤＦ３０及び読取手段ＥＳが作動し、分割原稿束の原稿から画像情報等を読み取る。読取作動の詳細については、前述のＳＴ６と同様の作動を行う。更に、次の分割原稿束を読み取るためにＳＴ３９に進む。
【０１８１】
（ＳＴ３９）
本文原稿優先の分割原稿束を読み取る場合の手順を表示するステップである。表示手段３００に手順が表示されると、ＳＴ４０に進む。
【０１８２】
（ＳＴ４０）
本文原稿優先の分割原稿束を手順に従ってセットするステップである。本文原稿からなる分割原稿束をＡＤＦ３０の原稿載置台３２に載置してＳＴ４１に進む。
【０１８３】
（ＳＴ４１）
インデックス原稿除外釦を押す（ＯＮ）ステップである。この分割原稿束にはインデックス原稿が存在しないので、分割原稿束を読み取る作動を行う際に、インデックス原稿ページ番号記憶手段１６２にページ番号を記憶しないようにして、ＳＴ４２に進む。
【０１８４】
（ＳＴ４２）
本文原稿からなる分割原稿束を読み取るステップである。読取作動の詳細については、前述のＳＴ１１と同様の作動を行う。更に、次の分割原稿束束を読み取るためにＳＴ４３に進む。
【０１８５】
（ＳＴ４３）
分割原稿束を全て読み取ったか否かを判断するステップである。読み取りが完了した場合は、読取釦ＳＫを押すと分割原稿束の読取作動を終了する。読取釦ＳＫを押さなければ、ＳＴ３４に戻り、残っている分割原稿束の読み取りが継続して行えるようになる。
【０１８６】
（ＳＴ４４）
原稿束が規定枚数以内の原稿束であるときは、分割原稿束を作成しないで、インデックス優先モード、又は本文原稿優先モードの何れか、設定されている通常の読取動作を行うようになっている。
【０１８７】
このように、ＡＤＦ３０の原稿載置台３２に載置できる原稿の枚数に制限があっても、原稿を規定数以内に分割して、分割原稿束を作成すれば良いので、分割原稿束の作成も簡単である。
【０１８８】
また、作成した分割原稿束を読み込む際は、前述のインデックス優先モードと本文優先モード、すなわち、第１の読取方式及び第２の読取方式と同様の操作で読み取らせればよい。
【０１８９】
従って、読取操作が同じ操作でできるので、簡単に迅速に読み取らせることができる。
【０１９０】
以上説明したように、本発明の画像形成装置によれば、インデックス原稿が本文原稿の最上部に重ねられた第１の原稿束と同様の構成で形成された原稿束を１つの単位として順に読み取らせることで、インデックス原稿と本文原稿とを原稿積載台３２に交互にセットする必要がなく、原稿をセットする回数を削減でき、読取操作を簡単にすることができるようになった。
【０１９１】
また、インデックス原稿が本文原稿の最上部に重ねられているので、原稿束から最初に読み取られた原稿はインデックス原稿であり、この原稿のページ数をインデックス原稿ページ番号記憶手段１６２に記憶すればよいので、特別な検出作動が必要がなくなり、容易にインデックス原稿のページ番号を記憶でき、制御手段ＥＣにおける読取制御が簡単になった。
【０１９２】
また、第２の読取方式も、最初に本文原稿からなる原稿束を読み取らせれば、以降は、第１の読取方式で読み取らせることができるので、使用者が複雑な操作を覚えたり、実行する必要が無くなり、迅速な読取作業が行えるようになった。
【０１９３】
従って、第１の読取方式も第２の読取方式も、ほぼ同様の簡単な操作で、原稿の読み取りが迅速にできる画像形成装置を提供することができるようになった。
【０１９４】
また、ＡＤＦの原稿載置台に載置できる原稿の枚数に制限がある場合には、分割原稿束を作成し、前述の第１の読取方式又は第２の読取方式で読み取らせることで、簡単で迅速な読み取り作動を行わせることができる画像形成装置を提供できるようになった。
【０１９５】
【発明の効果】
インデックス原稿が本文原稿の最上部に重ねられた第１の原稿束を読み取る場合、又は、インデックス原稿が本文原稿の最下部に重ねられた第２の原稿束を読み取る場合の何れにおいても、インデックス原稿が本文原稿の最上部に重ねられた第１の原稿束と同様の構成の原稿束を１つの単位として順に読み取らせることで、簡単で迅速な読み取り作動を実現し、しかも、インデックス原稿のページ番号を簡単に記憶できるので、インデックス原稿はインデックス用紙に、本文原稿は普通紙に確実に画像形成ができる画像形成装置を提供することができる。
【図面の簡単な説明】
【図１】画像形成装置の概略図である。
【図２】画像形成装置を構成する各手段と回路構成を示すブロック図である。
【図３】原稿束の例を示す模式図である。
【図４】原稿束を読み取る手順を示すフローチャートである。
【図５】原稿束の原稿を分割して読み取る手順を示すフローチャートである。
【符号の説明】
１  筐体
２  手差し皿
３  排紙皿
４  ローラ
５  感光体ドラム
６  帯電手段
７  現像手段
８  転写分離手段
９  クリーニング手段
１０  定着手段
１１  画像形成手段
１２  給紙カセット
１３  画像読取手段
１４  給排紙手段
２０  画像形成装置
３０  自動原稿送り装置
３１  ＡＤＦ筐体
３２  原稿載置台
３３  排紙部
３４  送りローラ
３５  搬送ローラ（Ａ）
３６  搬送ローラ（Ｂ）
３７  ローラ
３８  読取ローラ
３９  排紙ローラ
４０  反転部材
【図１】
2005005750.tif 000003
【図２】
2005005750.tif 000004
【図３】
2005005750.tif 000005
【図４】
2005005750.tif 000006
【図５】
2005005750.tif 000007